(57)【特許請求の範囲】
【請求項１】
予め決められた金種及び枚数を出金させる複数の出金パターンを記憶する出金パターン記憶手段と、
少なくとも、レジスタへの出金又はレジスタからの入金に用いられる媒体の媒体識別情報に、出金情報及び又は入金情報を対応付けて記憶する入出金情報記憶手段と、
上記複数の出金パターンの中から選択された出金パターンで出金処理を行なうものであって、上記選択された出金パターンで出金した出金情報を、取得した上記媒体識別情報に対応付けて上記入出金情報記憶手段に記憶させる出金処理手段と、
レジスタからの入金情報を取得し、上記入金情報を、取得した上記媒体識別情報に対応付けて上記入出金記憶手段に記憶させる入金処理手段と、
上記入出金情報記憶手段を参照して、上記媒体識別情報毎に、上記出金パターンで出金するパターン出金がされてから最終入金がされるまでを１集計単位として集計処理を行なう集計処理手段と、
上記集計処理手段により形成される上記媒体識別情報の集計単位毎に、出金情報及び又は入金情報の内容の訂正要求を受け付け、要求された内容で訂正を行なう訂正処理手段と
を備えことを特徴とする入出金装置。
【請求項２】
予め決められた金種及び枚数を出金させる複数の出金パターンを記憶する出金パターン記憶手段と、
少なくとも、レジスタへの出金又はレジスタからの入金に用いられる媒体の媒体識別情報に、出金情報及び又は入金情報を対応付けて記憶する入出金情報記憶手段と、
上記複数の出金パターンの中から選択された出金パターンで出金処理を行なうものであって、上記選択された出金パターンで出金した出金情報を、取得した上記媒体識別情報に対応付けて上記入出金情報記憶手段に記憶させる出金処理手段と、
レジスタからの入金情報を取得し、上記入金情報を、取得した上記媒体識別情報に対応付けて上記入出金記憶手段に記憶させる入金処理手段と、
上記入出金情報記憶手段を参照して、上記媒体識別情報毎に、上記出金パターンで出金するパターン出金がされてから最終入金がされるまでを１集計単位として集計処理を行なう集計処理手段と
を備え、
上記出金処理手段が、選択された出金パターンで出金処理を行なう際に、取得した上記媒体識別情報について、既にパターン出金がなされており、最終入金が完結していないとき、上記選択された出金パターンの出金処理を行なわない
ことを特徴とする入出金装置。
【請求項３】
上記集計処理手段により形成される上記媒体識別情報の集計単位毎に、出金情報及び又は入金情報の内容の訂正要求を受け付け、要求された内容で訂正を行なう訂正処理手段を更に備えることを特徴とする請求項２に記載の入出金装置。
【発明の詳細な説明】
【技術分野】
【０００１】
本発明は、入出金装置に関するものであり、例えば、店舗が取り扱う現金を集計して、少なくともシフト毎の集計を行なう入出金装置に適用し得るものである。
【背景技術】
【０００２】
特許文献１には、従来の入出金装置に関する技術が記載されている。従来、店舗等にあるレジスタには、予めレジスタカードが割り当てられている。レジスタ担当者又は管理者は、担当するレジスタのレジスタカードを用いて入出金装置から釣銭を出金してレジスタにセットし、又レジスタ担当者のシフトが終了した後、レジスタにある現金を入出金装置に入金処理を行なっている。売上集計は、レジスタからの全入金額から釣銭出金額を差し引くことで求まる。
【０００３】
なお、レジスタは、レジスタカード、レジスタ担当者識別カード（ＩＤカード）等によって紐付することができるので、レジスタの識別は、レジスタカード、レジスタ担当者識別カード等によっても行うことができる。
【０００４】
また、従来の売上集計や違算算出は、レジスタカードの識別情報に、レジスタ番号、出金金額及び入金金額、レジスタ担当者の識別番号等を対応付けて管理される。これにより、レジスタ毎、レジスタ担当者毎、又はレジスタカード毎の売上集計や違算算出が求まる。
【０００５】
ところで、小売業者等は、レジスタ毎、レジスタを担当するシフト毎に、売上集計、違算算出を行なうが一般的であり、レジスタ毎、シフト毎に売上集計や違算算出を行なうことが強く求められている。
【先行技術文献】
【特許文献】
【０００６】
【特許文献１】特開２００８−４６９２０号公報
【発明の概要】
【発明が解決しようとする課題】
【０００７】
しかしながら、従来の入出金装置は、各レジスタを担当するシフト毎の売上集計や違算算出を行なうことができなかった。
【０００８】
そのため、従来は、レジ担当者がレジスタ毎のレジスタカードをシフト毎に使い分けて、レジスタカードに基づいて集計を行なっている。このように、レジ担当者がレジスタカードをシフト毎に使い分けて行なう場合、次のような課題が生じ得る。
【０００９】
まず、１台のレジスタに対して複数のシフトが割り当てられ、シフト毎に集計を行なう場合、レジスタを空けないようにするため、最低でもレジスタカードを２枚以上使用する必要がある。例えば、１台のレジスタに対して「Ａカード」→「Ｂカード」→「Ａカード」→…等のようにシフト毎にレジスタカードを使い分けている。このよう場合、複数枚のレジスタカードを用意するためのコストがかかってしまうという問題がある。
【００１０】
次に、１台のレジスタに対して複数のレジスタカードでシフト毎に切り替えて使用する場合、前のシフトのレジスタ担当者が入金処理の忘れることがある。この場合、前のシフトのレジ担当者が入金処理を行なうと、現在のシフトのレジ担当者の入金処理として扱われてしまうため、正確な集計ができないという問題がある。
【００１１】
さらに、従来の入出金装置は、１枚のレジスタカードに、複数のシフトで出金するパターン出金の設定情報（パターン）を予め設定することができる。ここで、パターン出金とは、出金に係る金種及び各金種の枚数を予め設定して釣銭出金することをいう。上記のように、１枚のレジスタカードに、複数の設定情報（パターン）を設定することができるので、レジ担当者が、間違えて他のパターンを選択してしまうことがある。
【００１２】
そのため、レジスタを担当するシフトを売上集計の１単位とし、シフト毎に売上集計を行なうことができる入出金装置が求められている。
【課題を解決するための手段】
【００１３】
かかる課題を解決するために、第１の本発明は、（１）予め決められた金種及び枚数を出金させる複数の出金パターンを記憶する出金パターン記憶手段と、（２）少なくとも、レジスタへの出金又はレジスタからの入金に用いられる媒体の媒体識別情報に、出金情報及び又は入金情報を対応付けて記憶する入出金情報記憶手段と、（３）複数の出金パターンの中から選択された出金パターンで出金処理を行なうものであって、選択された出金パターンで出金した出金情報を、取得した媒体識別情報に対応付けて入出金情報記憶手段に記憶させる出金処理手段と、（４）レジスタからの入金情報を取得し、入金情報を、取得した媒体識別情報に対応付けて入出金記憶手段に記憶させる入金処理手段と、（５）入出金情報記憶手段を参照して、媒体識別情報毎に、出金パターンで出金するパターン出金がされてから最終入金がされるまでを１集計単位として集計処理を行なう集計処理手段と、（５）集計処理手段により形成される媒体識別情報の集計単位毎に、出金情報及び又は入金情報の内容の訂正要求を受け付け、要求された内容で訂正を行なう訂正処理手段とを備えることを特徴とする入出金装置である。
【００１４】
第２の本発明は、（１）予め決められた金種及び枚数を出金させる複数の出金パターンを記憶する出金パターン記憶手段と、（２）少なくとも、レジスタへの出金又はレジスタからの入金に用いられる媒体の媒体識別情報に、出金情報及び又は入金情報を対応付けて記憶する入出金情報記憶手段と、（３）複数の出金パターンの中から選択された出金パターンで出金処理を行なうものであって、選択された出金パターンで出金した出金情報を、取得した媒体識別情報に対応付けて入出金情報記憶手段に記憶させる出金処理手段と、（４）レジスタからの入金情報を取得し、入金情報を、取得した媒体識別情報に対応付けて入出金記憶手段に記憶させる入金処理手段と、（５）入出金情報記憶手段を参照して、媒体識別情報毎に、出金パターンで出金するパターン出金がされてから最終入金がされるまでを１集計単位として集計処理を行なう集計処理手段とを備え、出金処理手段が、選択された出金パターンで出金処理を行なう際に、取得した媒体識別情報について、既にパターン出金がなされており、最終入金が完結していないとき、選択された出金パターンの出金処理を行なわないことを特徴とする入出金装置である。
【発明の効果】
【００１５】
本発明によれば、レジスタを担当するシフトを売上集計の１単位とし、シフト毎に売上集計を行なうことができる。
【図面の簡単な説明】
【００１６】
【図１】実施形態に係る入出金装置の内部構成を示す内部構成図である。
【図２】実施形態に係る入出金装置の外観斜視図である。
【図３】実施形態の主制御部の入出金処理機能を説明する機能ブロック図である。
【図４】実施形態のパターン出金記憶部の構成を示す構成図である。
【図５】実施形態に係るレジスタ識別情報「１」のレジスタのシフトを示す図である。
【図６】実施形態に係るシフト記憶部に記憶されるシフト設定情報の構成を例示する構成図である。
【図７】実施形態に係る入出金装置における出金処理の動作を示すフローチャートである。
【図８】実施形態に係る釣銭出金に係る表示画面例を示す画面図である。
【図９】実施形態に係る釣銭出金に係る表示画面例を示す画面図である。
【図１０】実施形態に係る入出金履歴記憶部における入出金履歴を説明する説明図である。
【図１１】実施形態に係る入出金装置における最終入金処理の動作を示すフローチャートである。
【図１２】実施形態に係る集計処理部による集計単位を説明する説明図である。
【図１３】実施形態に係るレジスタ識別情報「１」のシフト及び集計を説明する説明図である。
【図１４】実施形態に係る訂正処理部による訂正処理を説明する説明図である。
【図１５】実施形態に係る訂正処理部による訂正処理を説明する説明図である。
【図１６】変形実施形態の主制御部の入出金処理機能を説明する機能ブロック図である。
【発明を実施するための形態】
【００１７】
（Ａ）第１の実施形態
以下では、本発明の入出金装置の主たる実施形態を、図面を参照しながら詳細に説明する。
【００１８】
この実施形態は、店舗のレジスタに対して釣銭出金及び売上入金を管理する入出金装置に本発明を適用する場合を例示する。
【００１９】
（Ａ−１）実施形態の構成
（Ａ−１−１）入出金装置１０の全体構成
図２は、実施形態に係る入出金装置１０の外観斜視図である。また、図１は、実施形態に係る入出金装置１０の内部構成を示す内部構成図である。
【００２０】
入出金装置１０は、例えば、ある店舗に設けられたレジスタが取り扱う現金を管理したり、また例えば、ショッピングセンタ等のように複数のショップからなる大規模な店舗において、各ショップのレジスタが取り扱う現金だけでなく、ショップ毎の現金を管理したりするものである。
【００２１】
図１において、入出金装置１０は、大別して、硬貨処理機１、紙幣処理機２、表示部３、操作部４、カードリーダ５、伝票記録部６、記録部７、主制御部８を少なくとも有して構成される。
【００２２】
表示部３は、例えばＬＣＤ等により、入出金装置１０の各種の処理操作の案内、入力画面、入力情報、金種別の入金金額又は出金金額等を表示する表示手段である。
【００２３】
操作部４は、レジスタの現金を入出金するレジスタ担当者や売上の締めを行なう店長等の管理者が操作するものである。また、操作部４は、後述する入出金処理を行なうために、パターン出金の入力、シフト設定の入力、訂正処理の入力等を行なう際に、レジスタ担当者や管理者等が操作するものである。操作部４は、例えば、キーボードやテンキーなどの物理的な入力手段や、表示部３上に配置されたタッチパネル等の入力手段を適用することができる。
【００２４】
カードリーダ５は、入出金装置１０の利用者であるレジスタ担当者や管理者等が使用するＩＤカードの情報を読み取るものである。ここで、ＩＤカードとしては、管理者が用いる管理カード、レジスタの担当者が用いるレジスタカード、店舗毎に発行された店舗カード等がある。
【００２５】
伝票記録部６は、硬貨処理機１や紙幣処理機２で行われた入金処理又は出金処理の金額、金種別枚数等を伝票に記録して出力するものである。伝票記録部６は、例えば、プリンタ等を適用することができる。
【００２６】
記録部７は、入金・出金処理履歴、回収庫交換履歴、釣銭収納庫入出金履歴、回収庫入金履歴等を格納するカウンタテーブルを有したり、また後述する主制御部８が実行する制御プログラムを格納したり、更に主制御部８による処理結果も記憶するものである。
【００２７】
主制御部８は、記録部７に格納された制御プログラムに基づいて、入出金装置１０全体の処理を制御するものである。この実施形態において、主制御部８は、それぞれのレジスタに対して割り当てられているシフトを１つの集計単位として入出金処理を行なう入出金処理機能を有するものである。
【００２８】
硬貨処理機１は、レジスタから回収した硬貨を一括して受け入れる硬貨入金口１１と、この硬貨入金口１１に受け入れた硬貨を１枚ずつ分離して、硬貨の金種等を鑑別すると共に鑑別した硬貨を金種毎に計数する硬貨鑑別部１２と、この硬貨鑑別部１２で鑑別計数された硬貨を一時保留する一時保留部１３と、レジスタ用の釣銭準備金として使用する硬貨を金種別に収納する複数の釣銭用硬貨収納庫（釣銭用現金収納庫）１４、入金硬貨を金種別に収納する硬貨回収庫１５と、釣銭用の硬貨を出金するための硬貨出金庫１６と、硬貨リジェクト口１７と、制御プログラムに基づいて硬貨処理機１全体の動作制御を行う制御部１８を少なくとも有して構成される。
【００２９】
ここで、一時保留部１３、釣銭用硬貨収納庫１４、硬貨回収庫１５、及び硬貨出金庫１６は金種毎に分けて硬貨を集積、収納できるように内部が区切られている。
【００３０】
また、硬貨入金口１１と硬貨鑑別部１２との間には、分離部により分離された硬貨を搬送する搬送ベルト等による搬送路が設けられている。また、釣銭用硬貨収納庫１４と硬貨回収庫１５及び硬貨出金庫１６との間には、釣銭用硬貨収納庫１４から排出される硬貨を硬貨回収庫１５と硬貨出金庫１６のいずれかに導く振分け手段と、通過する硬貨を金種毎に計数する計数手段とが設けられている。
【００３１】
また、釣銭用硬貨収納庫１４に対しては、収納する硬貨の金種毎に保管基準額が設定されており、その保管基準額を保つために入金処理された硬貨を収納するようになっている。また、釣銭用硬貨収納庫１４にも硬貨を搬送路に繰り出す繰出し手段が設けられている。
【００３２】
硬貨回収庫１５は複数用意され、必要に応じて交換されるものであるが、この実施形態では、硬貨回収庫１５には記憶部（識別情報保有部）１５ａが設けられている。この記憶部１５ａには硬貨回収庫１５を識別するためのＩＤ番号等の固有の識別情報が記憶され、制御部１８または後述する主制御部がこの識別情報を認識して硬貨回収庫１５を特定するものとなっている。
【００３３】
紙幣処理機２は、入金処理時にレジスタから回収した紙幣を一括して受け入れると共に出金処理時に釣銭としての紙幣を排出する紙幣入出金口２１と、この紙幣入出金口２１に受け入れた紙幣を１枚ずつ分離して、紙幣の金種等を鑑別すると共に鑑別した紙幣を金種毎に計数する紙幣鑑別部２２と、この紙幣鑑別部２２で鑑別計数された紙幣を集積して一時保留する一時保留部２３と、レジスタ用の釣銭準備金として使用する特定金種（例えば、五千円、千円）の紙幣を金種別に収納する釣銭用紙幣収納庫（釣銭用現金収納庫）２４と、入金紙幣を金種別に収納する紙幣回収庫（現金回収庫）２５と、紙幣リジェクト庫２６と、制御プログラムに基づいて紙幣処理機２全体の動作制御を行う制御部２７を少なくとも有して構成される。
【００３４】
ここで、一時保留部２３には紙幣を繰出す繰出し手段が設けられている。
【００３５】
また、釣銭用紙幣収納庫２４に対しては、収納する紙幣の金種毎に保管基準額が設定されており、その保管基準額を保つために入金処理された紙幣を収納するようになっている。釣銭用紙幣収納庫２４にも紙幣の集積手段が紙幣を搬送路に繰り出す繰出し手段と共に設けられている。
【００３６】
また、紙幣回収庫２５は複数用意され、必要に応じて交換されるものであるが、各紙幣回収庫２５には、ニアフルやフルを検知するセンサが設けられており、これらのセンサにより紙幣の有無や、満杯状態を確認できるようになっている。但し、収納量は後述するテーブルに格納される入金履歴からも把握可能である。
【００３７】
更に、紙幣回収庫２５には、硬貨回収庫１５と同様に記憶部（識別情報保有部）２５ａが設けられている。この記憶部２５ａには紙幣回収庫２５を識別するためのＩＤ番号等の固有の識別情報が記憶され、制御部１８がこの識別情報を認識して紙幣回収庫２５を特定するものとなっている。
【００３８】
なお、硬貨処理機１の制御部１８及び紙幣処理機２の制御部２８は主制御部８の指示により硬貨処理機１及び紙幣処理機２を制御する。
【００３９】
（Ａ−１−２）入出金処理機能について
図３は、主制御部８の入出金処理機能を説明する機能ブロック図である。
【００４０】
図３において、入出金処理機能１００は、パターン出金登録部１０１、出金処理部１０３、入金処理部１０４、集計処理部１０５、訂正処理部１０６、パターン出金記憶部１０７、シフト記憶部１０８、入出金履歴記憶部１０９を少なくとも有して構成される。
【００４１】
パターン出金登録部１０１は、複数の釣銭出金のパターン出金の設定情報をパターン出金記憶部１０７に登録するものである。ここで、パターン出金とは、予め設定された、出金に係る金種及び各金種の枚数を出金することをいう。
【００４２】
パターン出金記憶部１０７は、パターン出金登録部１０１により登録処理された複数のパターン出金の設定情報を記憶するものである。
【００４３】
図４は、パターン出金記憶部１０７の構成を示す構成図である。図４に示すように、パターン出金記憶部１０７は、出金パターン識別情報と、指定された金種及び各金種の枚数とを対応づけた情報を登録情報として記憶する。また、パターン出金記憶部１０７は、複数のパターン出金の設定情報を登録することができる。
【００４４】
出金処理部１０３は、レジスタ担当者又は管理者の操作を受けて、釣銭出金処理を行なうものである。出金処理部１０３は、レジスタ担当者等の操作により、レジスタ識別情報、レジスタカードの識別情報、当該レジスタに割り当てられたシフト識別情報の選択入力を受ける。
【００４５】
そして、出金処理部１０３は、シフト記憶部１０８を参照して、入力されたレジスタ識別情報について、入力されたシフト識別情報に対応するパターン出金識別情報を検索し、検索されたパターン出金識別情報に対応する金種及び金種枚数を出金するものである。これにより、レジスタ毎に、選択されたシフトに対応付けられたパターン出金を行うことができる。
【００４６】
また、出金処理部１０３は、レジスタ識別情報、レジスタカードの識別情報、シフト識別情報、レジスタ担当者識別情報、パターン出金金額を対応付けて、入出金履歴記憶部１０９に記憶する。これにより、シフトとレジスタカードとを対応付けて管理することができるので、１枚のレジスタカードでシフトのパターン出金を管理することができる。
【００４７】
ここで、後述するように、この実施形態では、同一のレジスタカードについて、パターン出金がなされてから最終入金が行なわれるまでを１つのシフトとし、これを集計単位とする。
【００４８】
従って、同一のレジスタカードについて、パターン出金がなされた後、最終入金がなされていない状態で、別のパターン出金の要求があっても、出金処理部１０３は取引を行なわない。つまり、この場合、出金処理部１０３は出金しない。これにより、レジスタ担当者がレジスタカードを間違えて出金処理を行なってしまうことを防止できる。
【００４９】
なお、出金処理部１０３は、追加的に釣銭を出金する追加出金を行なうことができる。この場合、同一のレジスタカードについて、パターン出金がなされた後に最終入金がなされていない状態に、出金処理部１０３は追加出金を行なうことができる。追加出金の場合、出金処理部１０３は、金種及び枚数の入力を受け付け、その入力された金種及び枚数を出金する。
【００５０】
入金処理部１０４は、レジスタ担当者又は管理者の操作を受けて、入金処理を行なうものである。入金処理部１０４は、レジスタ識別情報、レジスタカードの識別情報、レジスタ担当者識別情報、及び紙幣処理機２による入金された金種及び枚数が入力され、レジスタ識別情報、レジスタカードの識別情報、シフト識別情報、レジスタ担当者識別情報、入金金額を対応付けて入出金履歴記憶部１０９に記憶するものである。
【００５１】
ここで、入金処理部１０４が行なう入金には、少なくとも、最終入金と途中入金とがある。最終入金とは、原則的には、レジスタ担当者の勤務が終了した後に行われる最終的な売上入金である。途中入金とは、レジスタ担当者の勤務が終了する前に行う入金をいう。途中入金は、例えば、防犯の観点から、レジスタに収納される現金を定期的に回収して入金する場合に用いられる。入金処理部１０４は、最終入金と途中入金とを区別して入出金履歴記憶部１０９に記憶する。
【００５２】
集計処理部１０５は、入出金履歴記憶部１０９に記憶されている入出金履歴を参照して、レジスタ毎に設定されたシフトを集計単位として集計処理を行なうものである。つまり、集計処理部１０５は、あるレジスタについては、当該レジスタに用いたレジスタカードについて、パターン出金がなされてから最終入金がなされるまでを１つの集計単位として集計する。これは、「パターン出金から最終入金まで」が１シフトに相当するので、「パターン出金から最終入金まで」の集計が当該シフトの集計となる。
【００５３】
ここで、１集計単位とする「パターン出金から最終入金まで」の組の作成は、例えば、入出金履歴記憶部１０９における各取引の日時情報を用いて、今回の最終入金の取引日時情報の直前に行なわれたパターン出金を検索し、このパターン出金と最終入金とを１つの組とする。
【００５４】
また、集計処理部１０５は、入出金履歴記憶部１０９に記憶されている入出金履歴を参照して、レジスタ識別情報毎、レジスタ担当者識別情報毎に集計するようにしてもよい。
【００５５】
訂正処理部１０６は、レジスタ担当者が出金処理及び又は入金処理を誤って操作した場合に、正しい出金処理及び又は入金処理に訂正するものである。訂正処理部１０６による訂正処理については、動作の項で詳細に説明する。
【００５６】
なお、図１６は、主制御部８の入出金処理機能の変形実施形態を説明する機能ブロック図である。図１６は、図３に例示した入出金処理機能の各構成要素に、シフト設定部１０２を追加したものである。
【００５７】
シフト設定部１０２は、管理者の操作を受けて、レジスタ担当者のシフトに対して、指定されたパターン出金識別情報を対応付けてシフト記憶部１０８に記憶させるものである。シフトは各レジスタに割り当てられるのが一般的であるため、各レジスタのそれぞれのシフト毎にパターン出金が割り当てられる。
【００５８】
具体的には、シフト設定部１０２は、レジスタ毎に、シフトの時間帯が入力され、その時間帯のシフトに対してシフト識別情報を付与する。そして、シフト設定部１０２は、レジスタ毎に、シフト識別情報と指定されたパターン出金識別情報とを対応付けてシフト記憶部１０８に記憶する。
【００５９】
このように、予めシフト設定部１０２によりシフトを設定しておくことで、レジスタ担当者は、釣銭出金を行なうときに、「自身のシフト」のみを選択するだけでよい。その結果、レジスタ担当者によるパターン出金の選択間違いを回避できる。
【００６０】
（Ａ−２）実施形態の動作
次に、実施形態に係る入出金装置１０における入出金処理の動作について図面を参照しながら詳細に説明する。
【００６１】
（Ａ−２−１）シフト設定処理について
図５は、レジスタ識別情報「１」のレジスタのシフトを示す図である。図５において、「９：００〜１２：００」の時間帯を「シフト１」とし、「１１：３０〜１４：００」の時間帯を「シフト２」とし、「１３：３０〜１８：００」の時間帯を「シフト３」とする。
【００６２】
管理者は、管理者カードをカードリーダ５で読み取らせ、操作部４によりシフト設定処理の選択ボタンを選択する。これにより、シフト設定処理が開始する。
【００６３】
次に、管理者は、操作部４を操作してレジスタ識別情報を入力する。例えば、図５のシフト設定を行なう場合、管理者は、レジスタ識別情報「１」を入力する。
【００６４】
そして、管理者が図５の「シフト１」について設定する場合、管理者は時間帯「９：００〜１２：００」を入力する。入出金装置１０において、シフト設定部１０２は、入力された時間帯「９：００〜１２：００」に対してシフト識別情報：シフト１」を割り当てる。
【００６５】
次に、管理者は、操作部４を操作して、「シフト１」に対応付けるパターン出金を選択する。例えば、「シフト１」に対して、図４の「パターン１」が選択されると、シフト設定部１０２は、「シフト１」に対して、選択された「パターン１」を対応付けてシフト記憶部１０８に記憶する。
【００６６】
このような処理が、他のシフトについてもなされる。また、他のレジスタの各シフトについてもなされる。
【００６７】
図６は、シフト記憶部１０８に記憶されるシフト設定情報の構成を例示する構成図である。図６に示すように、レジスタ（レジスタ識別情報）毎に、時間帯、シフト識別情報、パターン出金識別情報が対応付けて管理される。例えば、「レジスタ識別情報：１」について、「９：００〜１２：００」は「シフト識別情報：シフト１」が付与され、「シフト１」には「パターン出金識別情報：パターン１」が対応付けて記憶される。
【００６８】
なお、ここでは、管理者が、あらかじめ、シフトに対してパターン出金を対応付ける場合を例示した。しかし、レジスタカードについて、パターン出金及び最終入金を対応づけることができればよいので、管理者が上記のシフト設定を行わないようにしてもよい。その場合、レジスタ担当者が、レジスタカードを用いて出金処理を行なう際に、パターン出金を選択することで、レジスタカードとパターン出金とを対応付けることができる。
【００６９】
（Ａ−２−２）出金処理
次に、この実施形態に係る入出金装置１０における出金処理について図面を参照しながら詳細に説明する。
【００７０】
図７は、実施形態に係る入出金装置１０における出金処理の動作を示すフローチャートである。
【００７１】
図７において、レジスタ担当者は、レジスタカードをカードリーダ５に読み取らせ、操作部４を操作して、レジスタ担当者識別情報を入力し、釣銭出金の選択ボタンを選択する。これにより、入出金装置１０において、出金処理部１０３は、レジスタカード識別情報及びレジスタ担当者識別情報を取得して、釣銭出金処理を開始する（Ｓ１０１、Ｓ１０２）。
【００７２】
次に、レジスタ担当者は、操作部４を操作してレジスタ識別情報を入力する。これにより、出金処理部１０３は、レジスタ識別情報を取得する（Ｓ１０３）。
【００７３】
なお、レジスタカードがレジスタに対応することが予め設定されている場合（例えば、レジスタカードから読み取った情報にレジスタ識別情報が含まれる等の場合）には、レジスタ識別情報の入力を省略するようにしてもよい。
【００７４】
また、管理者は、管理者カードを用いて、パターン出金や追加出金等の出金処理を行なうこともできる。その場合には、レジスタ識別情報及びシフトの入力が必要となる。
【００７５】
図８及び図９は、釣銭出金に係る表示画面例を示す画面図である。図８（Ａ）に示すように画面には、レジスタ選択ボタン５０１が表示される。レジスタ担当者は、図８（Ａ）の画面において、担当するレジスタのレジスタ選択ボタン５０１を選択し、確認ボタン５０２を選択する。
【００７６】
続いて、出金処理部１０３は、パターン出金による釣銭出金を行なうために、パターン出金識別情報を取得する（Ｓ１０５）。
【００７７】
ここで、（Ａ−２−１）で説明したシフト設定が予めなされている場合、図８（Ｂ）に例示する表示画面において、レジスタ担当者は、担当するシフトのシフト選択ボタン５０３を選択し、確認ボタン５０２を押下する。そして、出金処理部１０３は、図６に例示するシフト設定情報を参照して、選択されたシフト識別情報に対応するパターン出金識別情報を取得することができる。
【００７８】
また別の方法として、（Ａ−２−１）で説明したシフト設定が予めなされていない場合、図９（Ａ）に例示する表示画面において、レジスタ担当者が、「パターン出金」を示す出金種類選択ボタン５０４を選択する。そうすると、図９（Ｂ）に例示する表示画面が表示される。レジスタ担当者は、図９（Ｂ）において、パターン出金のタイプが異なるパターン出金選択ボタン５０５を選択すると、その選択されたパターン出金の金種枚数及び合計金額が表示される。これを見て、レジスタ担当者は、パターン出金のタイプを確認できる。そして、レジスタ担当者は、当該シフトに割り当てられているパターン出金のパターン出金選択ボタン５０５を選択し、確認ボタン５０２を押下する。これにより、出金処理部１０３は、パターン出金識別情報を取得することができる。
【００７９】
Ｓ１０６では、出金処理部１０３が、同一のレジスタカードを用いてパターン出金が既になされているか否かを確認し（Ｓ１０６）、パターン出金がなされていない場合、出金処理部１０３は処理をＳ１０７に移行し、既にパターン出金がなされている場合、出金処理部１０３は処理をＳ１１０に移行する。
【００８０】
Ｓ１０７において、出金処理部１０３は、硬貨処理機１及び紙幣処理機２に対して、パターン出金識別情報に対応する金種及び枚数を出金するようにし指示し、硬貨処理機１及び紙幣処理機２が指示された金種及び枚数を出金する（Ｓ１０７）。
【００８１】
そして、出金処理部１０３は、レジスタ識別情報、レジスタカード識別情報、レジスタ担当者識別情報、パターン出金である旨の区分、出金金額を対応付けて、入出金履歴記憶部１０９に記憶し（Ｓ１０８）、伝票記録部６が釣銭出金に係る伝票を発行する（Ｓ１０９）。
【００８２】
図１０は、入出金履歴記憶部１０９における入出金履歴を説明する説明図である。図１０に示すように、出金処理部１０３は、例えば、「通番：１」に、「レジスタ識別情報：１」、「レジスタカード識別情報：Ａ」、「レジスタ担当者識別情報：１１１１」について、「区分：パターン出金」を付与し、当該パターン出金の出金金額及び金種枚数を対応付けて入出金履歴に残す。
【００８３】
一方、Ｓ１０６において、既にパターン出金がなされている場合、出金処理部１０３は、パターン出金を行なわず、エラーである旨を出力して、処理を終了する（Ｓ１１０）。
【００８４】
（Ａ−２−３）最終入金処理
次に、この実施形態に係る入出金装置１０における最終入金処理について図面を参照しながら詳細に説明する。
【００８５】
図１１は、実施形態に係る入出金装置１０における最終入金処理の動作を示すフローチャートである。
【００８６】
図１１において、レジスタ担当者は、レジスタカードをカードリーダ５に読み取らせ、操作部４を操作して、レジスタ担当者識別情報を入力し、最終入金の選択ボタンを選択する。これにより、入出金装置１０において、入金処理部１０４は、レジスタカード識別情報及びレジスタ担当者識別情報を取得して、最終入金処理を開始する（Ｓ２０１、Ｓ２０２）。
【００８７】
次に、レジスタ担当者は、操作部４を操作してレジスタ識別情報を入力する。これにより、入金処理部１０４は、レジスタ識別情報を取得する（Ｓ２０３）。
【００８８】
続いて、レジスタ担当者によって投入された現金を、硬貨処理機１及び紙幣処理機２が受け入れ、硬貨処理機１及び紙幣処理機２が現金を計数する（Ｓ２０４）。
【００８９】
ここで、入金処理を行なう際、硬貨処理機１及び紙幣処理機２による現金計数だけでなく、レジスタ担当者の手入力による入金処理を行なうようにしてもよい。これは、例えば、商品券や、クレジットカード、ギフトカード等による売上や、また汚損金等もあるため、硬貨処理機１及び紙幣処理機２が計数できない場合もあるからである。このような場合には、レジスタ担当者が手入力により入金処理を行ない、入金金額等を確定する。
【００９０】
そして、入金処理部１０４は、レジスタ識別情報、レジスタカード識別情報、レジスタ担当者識別情報、最終入金である旨の区分、入金金額を対応付けて、入出金履歴記憶部１０９に記憶し（Ｓ２０５）、伝票記録部６が最終入金に係る伝票を発行する（Ｓ２０６）。
【００９１】
図１０に示すように、入金処理部１０４は、例えば、「通番：２」に、「レジスタ識別情報：１」、「レジスタカード識別情報：Ａ」、「レジスタ担当者識別情報：１１１１」について、「区分：最終入金」を付与し、当該最終入金として計数された入金金額及び金種枚数を対応付けて入出金履歴に残す。
【００９２】
（Ａ−２−４）集計処理
次に、実施形態に係る入出金装置１０における集計処理の動作について図面を参照しながら説明する。
【００９３】
図１２は、集計処理部１０５による集計単位を説明する説明図である。図１３は、レジスタ識別情報「１」のシフト及び集計を説明する説明図である。
【００９４】
図１３では、レジスタ識別情報「１」のレジスタについて、複数のレジスタ担当者が、２枚のレジスタカード「カードＡ」と「カードＢ」を用いて操作する場合を示す。
【００９５】
また、シフト１はレジスタ識別情報「１１１１」の担当者が担当し、シフト２はレジスタ識別情報「２２２２」の担当者が担当し、シフト３は、レジスタ識別情報「３３３３」と「１１１１」の２人の担当者が担当するものとする。
【００９６】
さらに、シフト１及びシフト３では、レジスタ担当者がレジスタカード「カードＡ」を用いており、シフト２では、レジスタ担当者がレジスタカード「カード」Ｂを用いているものとする。
【００９７】
上記のような場合、図１２に示すように、集計処理部１０５は、入出金履歴記憶部１０９に記憶される入出金履歴に基づいて、同一レジスタカードについて、パターン出金がなされてから最終入金がなされるまでを１つの集計単位とする。
【００９８】
すなわち、集計処理部１０５は、入出金履歴記憶部１０９を参照して、レジスタカード識別情報に対応する入出金履歴を検索して、同一のレジスタ識別情報において、パターン出金とその後になされた最終入金とを組にし、これを集計単位として集計する。
【００９９】
例えば、図１２において、集計処理部１０５は、レジスタカード識別情報「カードＡ」について、レジスタ担当者識別情報「１１１１」による「パターン出金」を読み出し、同一のレジスタカード識別情報「カードＡ」であって、当該パターン出金直後の「最終入金」を読み出す。そして、この「パターン出金から最終入金まで」がシフト１についての集計となる。
【０１００】
また、「シフト２」についても同様に、レジスタカード識別情報「カードＢ」について、レジスタ担当者識別情報「２２２２」による「パターン出金」と、当該パターン出金直後の「最終入金」とを読み出し、これをシフト２の集計とする。
【０１０１】
ここで、シフト３では「カードＡ」が利用されており、利用カードはシフト１のときと同じであるため、集計処理部１０５がシフトを誤って括ってしまうことが問題となる。しかし、この実施形態では、上記のような誤ったシフトの括りを防止するために、出金処理部１０３が、パターン出金済み後の再度のパターン出金を選択できないようにしている（図７のＳ１０６及びＳ１１０参照）。その結果、同一のレジスタカードにおいて、パターン出金後に、別のパターン出金がなされることはないので、集計処理部１０５は、「パターン出金から最終入金まで」を１つの集計単位として確実に括ることができる。
【０１０２】
また、レジスタ担当者が最終入金を忘れてしまうこともあり、レジスタ担当者又は管理者が遅れて最終入金を行なう場合もある。しかし、この実施形態では、図１３に示すように、同一のレジスタカード「カードＡ」について、「シフト１」が終わってから、「シフト３」についての「パターン出金」がなされるまでの間を、「シフト１」の集計最大範囲とする。つまり、「パターン出金から最終入金まで」が１つの集計単位であるから、次のシフトの「パターン出金」がなされるまで、「最終入金」が可能となる。
【０１０３】
また、図１２において、シフト３では、レジスタ担当者識別情報「３３３３」が「カードＡ」を用いてパターン出金を行い、レジスタ担当者識別情報「１１１１」が「カードＡ」を用いて最終入金を行なっている。つまり、釣銭出金と最終入金の行為主体がそれぞれ異なる。
【０１０４】
この場合でも、集計処理部１０５は、同一のレジスタカード識別情報について「パターン出金から最終入金まで」を集計単位とするので、問題なく集計処理を行なうことができる。なお、この場合、個人集計については、レジスタ担当者識別情報「３３３３」又は「１１１１」のいずれかの売上計上であるとしてもよい。この実施形態では、最終入金を行なったレジスタ担当者識別情報「１１１１」の売上計上とする。
【０１０５】
なお、図１２に示すように、集計処理部１０５は、レジスタ識別情報毎、レジスタ担当者識別情報毎に集計を行なうこともできるので、レジスタ毎、レジスタ担当者毎の売上集計もできる。なお、図１２において、点線で括ったものの集計が、レジスタ識別情報「１」の集計である。
【０１０６】
集計処理部１０５は、上記のようにして集計した集計結果を入出金履歴記憶部１０９に記憶する。
【０１０７】
（Ａ−２−５）訂正処理
次に、この実施形態の入出金装置１０における訂正処理の動作について図面を参照しながら説明する。
【０１０８】
訂正処理部１０６は、レジスタ担当者又は管理者による操作を受けて、レジスタカード識別情報毎の集計や、レジスタ識別情報毎の集計を訂正するものである。
【０１０９】
訂正処理部１０６は、レジスタ担当者が使用するレジスタカードを間違えて、パターン出金、追加出金、最終入金等を行なった場合に、訂正処理を行なう。
【０１１０】
上述したように、出金処理及び入金処理がなされると、入出金装置１０は、通番を付して、出金処理及び入金処理を行なう。このとき、入出金装置１０は、出金処理及び入金処理に係る通番を記載した伝票を発行する。
【０１１１】
訂正処理部１０６は、レジスタ担当者又は管理者から、出金処理及び入金処理に係る通番の入力を受け付け、入力された通番に対応する出金処理及び入金処理について訂正を行なう。
【０１１２】
また、訂正処理部１０６は、訂正回数を管理するようにしてもよい。これは、管理者が訂正を管理するためである。
【０１１３】
さらに、この実施形態はシフトという概念で集計処理を行なうため、訂正処理部１０６は、従来の訂正処理と大きく異なる。例えば出金処理について訂正する場合、従来は、出金取引の履歴について、誤ったカード識別情報を正しいカード識別情報に訂正するということを行なっている。また、訂正対象は、例えば出金処理、入金処理等のように、それぞれの個別の取引が対象となる。
【０１１４】
しかし、この実施形態では、シフトという集計単位で集計処理を行なうので、単に「パターン出金」の履歴及びそのパターン出金後の取引（例えば、追加出金、最終入金等も含む取引）の履歴を入れ替えるだけでなく、訂正処理部１０６は１シフトとして括られる取引を関連付けて訂正する。
【０１１５】
図１４及び図１５は、訂正処理部１０６による訂正処理を説明する説明図である。図１４及び図１５では、「カードＡ」と「カードＢ」との間の訂正処理を例示して説明する。
【０１１６】
なお、図１４及び図１５において、例えば、「Ｐｅ１」等は「パターン出金」を示し、「Ａｅ１」等は「追加出金」を示し、「Ｆｒ１」等は「最終入金」を示す。
【０１１７】
図１４（Ａ）は、「カードＡ」及び「カードＢ」のそれぞれのパターン出金を、入れ替える場合である。
【０１１８】
この場合、訂正処理部１０６は、「パターン出金：Ｐｅ１」の伝票の通番と、「パターン出金：Ｐｅ２」の伝票の通番との入力を受け付ける。そして、訂正処理部１０６は、入出金履歴記憶部１０９を参照して、入力された２つの通番に基づいて、対応する２つの出金履歴を読み出す。そして、訂正処理部１０６は、パターン出金識別情報や出金金額及び金種枚数を相互に入れ替える訂正を行なう。
【０１１９】
また、訂正処理部１０６は、レジスタカード識別情報「カードＡ」及び「カードＢ」に今回の訂正回数をカウントする。
【０１２０】
図１４（Ｂ）は、パターン出金済みの「カードＡ」のパターン出金を、まだパターン出金がなされていない「カードＢ」に付け替える場合である。
【０１２１】
この場合、訂正処理部１０６は、「パターン出金：Ｐｅ２」の伝票の通番の入力を受け付け、入出金履歴記憶部１０９を参照して、入力された通番に基づいて、対応する出金履歴を読み出す。そして、訂正処理部１０６は、レジスタカード識別情報を「カードＡ」から「カードＢ」に訂正する。これにより、「カードＡ」のシフトは削除され、シフトがなかった「カードＢ」についてパターン出金が付与される。
【０１２２】
また、訂正処理部１０６は、レジスタカード識別情報「カードＢ」に今回の訂正回数をカウントする。
【０１２３】
図１４（Ｃ）は、追加出金済みの「カードＡ」のパターン出金及び追加出金を、まだパターン出金していない「カードＢ」に付け替える場合である。
【０１２４】
ここで、追加出金は、パターン出金がなされていることが前提で追加的に出金されるものである。また、追加出金は、１シフトに関連する取引である。従って、訂正処理部１０６は追加出金の取引だけの付け替えでなく、パターン出金と関連性を持たせた付け替えを行なう。つまり、訂正処理部１０６は追加出金のみの付け替えはできない。
【０１２５】
この場合、訂正処理部１０６は、パターン出金との関連性を持たせるために、「パターン出金：Ｐｅ２」の伝票の通番の入力を受け付ける。そして、訂正処理部１０６は、入出金履歴記憶部１０９を参照して、入力された通番に基づいて、対応する出金履歴を読み出す。そして、訂正処理部１０６は、パターン出金及び追加出金の両方の出金履歴を検索し、両方の出金履歴についてレジスタカード識別情報を「カードＡ」から「カードＢ」に訂正する。これにより、「カードＡ」のシフトは削除され、シフトがなかった「カードＢ」についてパターン出金及び追加出金が付与される。
【０１２６】
また、訂正処理部１０６は、レジスタカード識別情報「カードＢ」に今回の訂正回数をカウントする。
【０１２７】
図１４（Ｄ）は、追加出金済みの「カードＡ」の追加出金を、パターン出金済みの「カードＢ」に付け替える場合である。つまり、本来のパターン出金に関連付けるべき追加出金を、間違えたパターン出金に関連付けてしまった場合である。
【０１２８】
この場合、訂正処理部１０６は、「追加出金：Ａｅ２」の通番の入力を受け付け、入出金履歴記憶部１０９を参照して、入力された通番に基づいて、対応する出金履歴を読み出す。そして、訂正処理部１０６は、追加出金の出金履歴について、レジスタカード識別情報を「カードＡ」から「カードＢ」に訂正する。これにより、「追加出金：Ａｅ２」のみが「カードＢ」に付加され、「カードＡ」にあった「追加出金：Ａｅ２」が削除される。
【０１２９】
また、訂正処理部１０６は、レジスタカード識別情報「カードＡ」及び「カードＢ」に今回の訂正回数をカウントする。
【０１３０】
図１５（Ａ）は、追加出金済みの「カードＡ」の追加出金を、パターン出金されていない「カードＢ」に付け替える場合である。
【０１３１】
この場合、訂正処理部１０６は、訂正しない。これは、追加出金は、パターン出金がなされていることが前提で追加的に出金されるものである。従って、訂正処理部１０６は、パターン出金がなされていない「カードＢ」への付け替えを行わない。
【０１３２】
このとき、訂正処理部１０６は、入出金装置１０が有する報知手段（例えば、アラーム手段等）に対して警告を報知するよう指示するようにしてもよい。
【０１３３】
図１５（Ｂ）は、最終入力済みの「カードＡ」のパターン出金を、まだパターン出金していない「カードＢ」に付け替える場合である。訂正処理部１０６はパターン出金から最終入金までの全ての取引を付け替える。
【０１３４】
この場合、訂正処理部１０６は、シフトのパターン出金を特定するために、「パターン出金：Ｐｅ２」の伝票の通番の入力を受け付ける。そして、訂正処理部１０６は、入出金履歴記憶部１０９を参照して、そのパターン出金取引から最終入金取引までの全ての取引を特定するために、パターン出金から最終入力までの出金処理及び入金処理の履歴を読み出す。そして、訂正処理部１０６は、読み出した出金処理及び入金処理の全ての履歴について、レジスタカード識別情報を「カードＡ」から「カードＢ」に訂正する。これにより、「カードＡ」のシフトは削除され、シフトがなかった「カードＢ」についてパターン出金、追加出金及び追加出金が付与される。
【０１３５】
また、訂正処理部１０６は、レジスタカード識別情報「カードＢ」に今回の訂正回数をカウントする。
【０１３６】
図１５（Ｃ）は、最終入金済みの「カードＡ」の最終入金のみを、パターン出金済みの「カードＢ」に付け替える場合である。
【０１３７】
この場合、訂正処理部１０６は、「最終入金：Ｆｒ２」の伝票の通番の入力を受け付け、入出金履歴記憶部１０９を参照して、対応する最終入力の入金処理の履歴を読み出す。そして、訂正処理部１０６は、読み出した入金処理の履歴について、レジスタカード識別情報を「カードＡ」から「カードＢ」に訂正する。これにより、「カードＡ」の最終入金は削除され、「カードＢ」に最終入金が付与される。
【０１３８】
また、訂正処理部１０６は、レジスタカード識別情報「カードＢ」に今回の訂正回数をカウントする。
【０１３９】
図１５（Ｄ）は、最終入金済みの「カードＡ」の最終入金のみを、まだパターン出金されていない「カードＢ」に付け替える場合である。
【０１４０】
この場合、訂正処理部１０６は、訂正しない。これは、最終入金は、シフトを形成するため、パターン出金がなされていることが前提であり、パターン出金されていない「カードＢ」への付け替えを行わないようにするためである。
【０１４１】
このとき、訂正処理部１０６は、入出金装置１０が有する報知手段（例えば、アラーム手段等）に対して警告を報知するよう指示するようにしてもよい。
【０１４２】
図１５（Ｅ）は、図１５（Ｄ）の例外である。図１５（Ｅ）は、最終入金済みの「カードＡ」の最終入金のみを、出金不可制限されているレジスタのレジスタカード「カードＢ」に付け替える場合である。
【０１４３】
本来、最終入金は、パターン出金されているレジスタカードにのみ付与される。しかし、カードの種類によって、レジスタの売上だけを集計する目的の出金負荷制限されたレジスタのレジスタカードがある。
【０１４４】
その場合、訂正処理部１０６は、「最終入金：Ｆｒ１」の伝票の通番の入力を受け付け、入出金履歴記憶部１０９を参照して、対応する最終入力の入金処理の履歴を読み出す。そして、訂正処理部１０６は、読み出した入金処理の履歴について、レジスタカード識別情報を「カードＡ」から「カードＢ」に訂正する。これにより、「カードＡ」の最終入金は削除され、「カードＢ」に最終入金が付与される。
【０１４５】
また、訂正処理部１０６は、レジスタカード識別情報「カードＢ」に今回の訂正回数をカウントする。
【０１４６】
（Ａ−３）実施形態の効果
以上のように、この実施形態によれば、レジスタへの出金又はレジスタからの入金に用いられるレジスタカード毎に、パターン出金から最終入金までを１集計単位として集計処理ができる。この集計単位は、レジスタ担当者のシフトに相当する。従って、この実施形態によれば、シフト毎に、売上集計を行なうことができる。
【０１４７】
また、この実施形態によれば、レジスタカード識別情報に、レジスタ識別情報、レジスタ担当者識別情報を紐付して入出金履歴を記憶する。そのため、レジスタ識別情報でソートすればレジスタ毎の売上集計を求めることができ、又、レジスタ担当者識別情報でソートすればレジスタ担当者毎の売上集計を求めることができる。
【０１４８】
（Ｂ）他の実施形態
（Ｂ−１）上述した実施形態における入出金装置は、１店舗に設けられるレジスタへの出金処理及びレジスタからの入金処理を行なうものに限定されるものではなく、例えば、ショッピングセンタ等のように複数のショップからなる大規模店舗において、各ショップを統括的に管理するものにも適用することができる。
【０１４９】
（Ｂ−２）上述した実施形態では、レジスタの出金又は入金に用いられる媒体として、レジスタカードを適用する場合を例示した。しかし、シフトに応じてレジスタを利用する際に用いられるものであれば、カードに限定されるものではない。
【符号の説明】
【０１５０】
１０…入出金装置、１…硬貨処理機、２…紙幣処理機、３…表示部、４…操作部、５…カードリーダ、６…伝票記録部、７…記憶部、８…主制御部、
１０１…パターン出金登録部、１０２…シフト設定部、１０３…出金処理部、１０４…入金処理部、１０５…集計処理部、１０６…訂正処理部、１０７…パターン出金記憶部、１０８…シフト記録部、１０９…入出金履歴記憶部。
【図１】
0005807577.tif 000002
【図２】
0005807577.tif 000003
【図３】
0005807577.tif 000004
【図４】
0005807577.tif 000005
【図５】
0005807577.tif 000006
【図６】
0005807577.tif 000007
【図７】
0005807577.tif 000008
【図８】
0005807577.tif 000009
【図９】
0005807577.tif 000010
【図１０】
0005807577.tif 000011
【図１１】
0005807577.tif 000012
【図１２】
0005807577.tif 000013
【図１３】
0005807577.tif 000014
【図１４】
0005807577.tif 000015
【図１５】
0005807577.tif 000016
【図１６】
0005807577.tif 000017